【手続補正書】
【提出日】平成18年4月11日(2006.4.11)
【手続補正１】
【補正対象書類名】手続補正書
【補正対象項目名】手続補正１
【補正方法】変更
【補正の内容】
【手続補正１】
【補正対象書類名】明細書
【補正対象項目名】全文
【補正方法】変更
【補正の内容】
【書類名】        明細書
【発明の名称】着脱可能な位牌のケース型メモリアル札板
【特許請求の範囲】
【請求項１】
故人の生前のイメージとその名前などを表示して、礼拝者が他者と混同することなく供養できる事を特徴とする着脱可能な位牌のケース型メモリアル札板。
【請求項２】
専用位牌を使用する場合を除き、既存の位牌を加工せずにそのままの状態で使用できる事を特徴とする請求項１記載の着脱可能な位牌のケース型メモリアル札板。
【請求項３】
大切な位牌の表面を、チリや手あかなどから保護することを目的とした、位牌の一部もしくは全体の表面を覆う事を特徴とする、請求項１または２のいずれかに記載の着脱可能な位牌のケース型メモリアル札板。
【請求項４】
ケース型メモリアル札板と一体もしくはこれに固定する場合を除き、繰出し位牌に納める事ができる着脱可能な心髄メモリアル札板を有する事を特徴とする、請求項１，２または３に記載の着脱可能な位牌のケース型メモリアル札板。
【発明の詳細な説明】
【０００１】
【発明の属する技術分野】
本発明は、故人を供養するための位牌（仏壇に置く位牌、過去帳代わりに使用する、繰り込み式位牌、寺位牌などを含むすべての位牌）に関するものである。
【０００２】
【従来の技術】
従来位牌とは、故人の戒名（法名）が書かれた長方形の位牌で、常時仏壇に安置して、その家族が故人の供養の対象としていた。
【０００３】
【本発明が解決しようとする課題】
しかしながら、従来位牌では、表側に戒名、裏側に享年等が明記してあるだけのため、礼拝者が他者と混同し、礼拝する故人の位牌を認識することが困難であった。また、位牌本体が剥き出しのため、チリや手あかにより位牌の汚れが発生するという問題があった。新たに位牌を作った場合、コストがかかるが前述の問題を解決する事はできない。更に、年月を経て繰り出し位牌に納めるため、新たに専用の札板を作る必要があった。
【０００４】
【発明の目的】
本発明の目的は、上述の点に鑑み、礼拝者が他者と混同することなく故人を供養でき、位牌本体のチリや手あかなどによる汚れを防ぎ、また大事な戒名や享年等を記載した文字が薄れたりすることから位牌を保護する事ができる、着脱可能な位牌のケース型メモリアル札板を提供することにある。なお、本メモリアル札板は、専用位牌を使用する場合を除いて従来位牌を加工せずにそのままの状態で使用する事ができる。
【０００５】
【課題を解決するための手段】
この目的を達成するため、本発明は礼拝する故人の位牌を認識できるイメージ（写真等）や俗名などを有し、専用位牌を使用する場合を除いて位牌を加工せずにそのまま使用でき、位牌の一部もしくは全体を覆う事でチリや手あかなどの汚れから位牌を保護できる着脱可能なケース型の札板とした。また、繰出し位牌に納める事ができるように着脱可能な札板を設けた。
【０００６】
【実施例】
図２は、第１の実施例を示す。
着脱可能な位牌のケース型メモリアル札板１において、表面に固定もしくは着脱可能な心髄メモリアル札板１ｅが設けてあり、その上部に故人の生前のイメージ（遺影、写真、絵、彫刻など）１ａを配置し、必要によって取り付けるイメージの保護カバー１ｂにより覆われている。下部には、故人の名前等（俗名、戒名、享年、絵、言葉、詩など）１ｃを配置している。また裏面には背面窓または穴１ｄを設定する場合もある。
【０００７】
図２の第１の実施例において、心髄メモリアル札板１ｅが着脱可能な場合、仏壇にある既存の繰出し位牌（回出位牌）に納める事が可能である。
【０００８】
図３は、図１に示す従来位牌２にメモリアル札板１を装着した状態で、背面窓または穴１ｄを有する場合、メモリアル札板１を取り外す事なく、位牌の背面の享年等２ｂを見ることができる。第２，第３，第４，第６の実施例の基本的な構成は第１の実施例と同様であり、これによっても位牌の一部もしくは全体を覆った形となり、課題を解決する事ができる。
【０００９】
図８は、第６の実施例として家族位牌８に装着した状態で、メモリアルの要素を強調した実施例である。例えば２名以上の家族が同時に亡くなり１つの位牌にて供養する場合である。家族Ａの戒名等８ａと家族Ｂの戒名等８ｂが表示されている家族位牌８の場合、１名以上の専用メモリアル札板９を用いる事ができる。
【００１０】
専用メモリアル札板９の上部には、家族Ａの生前のイメージ（遺影、写真、絵、彫刻など）９ａとその下部に家族Ａの名前等（俗名、戒名、享年、絵、言葉、詩など）９ｃを配置する。専用メモリアル札板９には、窓または穴９ｅが設けてあり、家族位牌８に装着した際、戒名等８ａ及び８ｂを認識できる構造となっている。同様に、家族Ｂの生前のイメージ９ｂと家族Ｂの名前等９ｄも同様に配置したものである。
【００１１】
図９は、図８と同様に第７の実施例として家族位牌８に装着した状態で、基本的な構成はこれと同様であるが、専用メモリアル札板９の下部に固定もしくは着脱可能な札板台座１０を有する事もできる構造となっており、この場合は札板台座１０の上に家族位牌８が乗る事となる。
【００１２】
図１０は、第８の実施例として従来位牌２に装着した専用メモリアル札板９である。この下部には着脱可能な札板台座１０を有し、上部にはチリから位牌を保護する札板屋根１１を有する構造となっている。
【００１３】
図１１は、第９の実施例を示した専用メモリアル札板９である。専用メモリアル札板９には、位牌固定用板材１２が着脱可能もしくは固定して取り付けられた構造となっており、板材１２には従来位牌オスホゾが挿入可能な大きさもしくはそれ以上の大きさのメスホゾ穴または穴１２ａを有している。また、メスホゾ穴または穴１２ａには、必要によって切欠を設けた構造の場合もある。
【００１４】
図１２は、第９の実施例を従来位牌２に取り付けた状態で、位牌固定用板材１２の下方に従来位牌２を分割した下部を置き、従来位牌札板２ｅの下部にある従来位牌オスホゾ２ｃをメスホゾ穴または穴１２ａを貫通させ、従来位牌メスホゾ穴２ｄに挿入して専用メモリアル札板９に固定する構造となっている。また、着脱可能な位牌のケース型メモリアル札板１を取付ける事が可能な構造である。
【００１５】
図１３は、第１０の実施例を従来位牌２に取り付けた状態である。位牌固定用板材１２を専用メモリアル札板９に着脱可能もしくは固定できるように、板材取り付け穴９ｆを備える。位牌固定用板材１２は、くさび等の差込穴１２ｂを有しており、従来位牌２に装着した位牌固定用板材１２を板材取り付け穴９ｆに挿入してくさび等の差込穴１２ｂにくさび等着脱可能な固定部品１２ｃを差し込む事により、位牌固定用板材１２を介して専用メモリアル札板９と従来位牌２とを着脱可能もしくは固定する構造である。
【００１６】
図１４は、第１１の実施例を示したもので、図１１の第９の実施例の専用メモリアル札板９に、あらゆる種類の電気的な光により故人のイメージを強調する為の構造を有する。専用メモリアル札板９の少なくとも前面には、全面もしくは少なくとも一部で１つ以上の液晶もしくは背面からの照明を含み電気的に故人のイメージを表示できるあらゆる種類のイメージ表示装置１３を取り付けた物である。イメージ表示装置１３の形状は、図１４に表示する形状のみならず、必要に応じて三角形・四角形をはじめとした多角形もしくは他の形状の設定が可能である。
【００１７】
イメージ表示装置１３から専用メモリアル札板９の内部を通り、その下部に固定もしくは着脱可能の状態で取り付けられている札板台座１０に内蔵されたメディア装置１６までは、表示装置配線１４ａにより結線される。また外部供給もしくは札板台座１０に内蔵できるあらゆる種類の電源１５まで、電源配線１４ｂにより結線される。必要に応じて、電源１５を専用メモリアル札板９に内蔵する場合もある。
【００１８】
メディア装置１６は、あらゆる種類の小型データメディアが使用可能なメディア挿入口１６ａと、外部からデータを送る事ができるコンピュータ等との接続によりデータの入れ換えが可能なＵＳＢもしくはこれに類するデータ入力接続端子１６ｂ及び赤外線もしくはこれに類する無線でのデータのやり取りが可能なデータ送受信機１６ｃを有する。
【００１９】
また、メディア装置１６から入力された故人のイメージデータを選択し設定する為の切換ボタン１６ｄにより、イメージ表示装置１３の表示を１人以上の故人のイメージ、戒名、俗名などを含む故人の名前等及び配置をいかようにもレイアウトし、切り換える事ができる。メディア装置１６は、必要に応じて専用メモリアル札板９自体に内蔵する場合と外部に設置する場合もあり得る。尚、イメージ表示装置１３及びメディア装置１６を有する構成は、本発明のすべての実施例に反映する事が可能である。
【００２０】
また、専用メモリアル札板９にイメージ表示装置１３に代わり故人のイメージとして写真パネルを設置する事も可能である。
【００２１】
【発明の効果】
本発明は、以上に説明したような構成により次のような効果を奏する。
○  故人の生前のイメージ（遺影等）や俗名などを表示する事で、常に故人を心に思って偲ぶ事ができる。
○  特に故人の位牌の多い家庭や歴史の古い家等において、遺影を置く場所に苦労する事なく仏壇内の場所を有効に利用できる。
○  大事な位牌をチリや手あかから保護する事ができる。
○  着脱可能であるため、法事等の際、必要に応じて位牌から取外し、位牌のみを祭壇に置く事ができる。場合によっては位牌と並べて本メモリアル札板を置く事もできる。
○  着脱可能な心髄メモリアル札板を設ける事で取外して繰出し位牌に納める事ができる。
【図面の簡単な説明】
【図１】
従来の位牌を示す図である
【図２】
本考案の第１の実施例を示す図である
【図３】
第１の実施例を位牌に装着した状態を示す図である
【図４】
第２の実施例を位牌に装着した状態を示す図である
【図５】
第３の実施例を位牌に装着した状態を示す図である
【図６】
第４の実施例を位牌に装着した状態を示す図である
【図７】
第５の実施例を位牌に装着した状態を示す図である
【図８】
第６の実施例を位牌に装着した状態を示す図である
【図９】
第７の実施例を位牌に装着した状態を示す図である
【図１０】
第８の実施例を位牌に装着した状態を示す図である
【図１１】
本考案の第９の実施例を示す図である
【図１２】
第９の実施例を位牌に装着した状態を示す図である
【図１３】
第１０の実施例を位牌に装着した状態を示す図である
【図１４】
第１１の実施例を示す図である
【符号の説明】
１      着脱可能な位牌のケース型メモリアル札板
１ａ    故人の生前のイメージ（遺影、写真、絵、彫刻など）
１ｂ    イメージ保護カバー
１ｃ    故人の名前等（俗名、戒名、享年、絵、言葉、詩など）
１ｄ    背面窓または穴
１ｅ    心髄メモリアル札板
２      従来位牌
２ａ    戒名
２ｂ    享年等
２ｃ    従来位牌オスホゾ
２ｄ    従来位牌メスホゾ
２ｅ    従来位牌札板
３      前掛け型着脱可能な位牌のメモリアル札板
４      左右挟型着脱可能な位牌のメモリアル札板
５      分割型着脱可能な位牌のメモリアル札板
５ａ    前面分割型着脱可能な位牌のメモリアル札板
５ｂ    背面分割型着脱可能な位牌のメモリアル札板
６      嵌め込み型着脱可能な位牌のメモリアル札板
７      嵌め込み型専用位牌
８      家族位牌
８ａ    家族Ａの戒名等
８ｂ    家族Ｂの戒名等
９      専用メモリアル札板（１名以上の家族用、イメージ多用など）
９ａ    家族Ａの生前のイメージ（遺影、写真、絵、彫刻など）
９ｂ    家族Ｂの生前のイメージ（遺影、写真、絵、彫刻など）
９ｃ    家族Ａの名前等（俗名、戒名、享年、絵、言葉、詩など）
９ｄ    家族Ｂの名前等（俗名、戒名、享年、絵、言葉、詩など）
９ｅ    窓または穴
９ｆ    板材取り付け穴
１０    札板台座
１１    札板屋根
１２    位牌固定用板材
１２ａ  メスホゾまたは穴
１２ｂ  くさび等の差込穴
１２ｃ  くさび等着脱可能な固定部品
１３    イメージ表示装置（液晶、プラズマなど）
１４ａ  表示装置配線
１４ｂ  電源配線
１５    電源
１６    メディア装置
１６ａ  メディア挿入口
１６ｂ  データ入力接続端子
１６ｃ  データ送受信機
１６ｄ  切換ボタン